(57)【要約】【課題】使用状態において外物が衝き当たることによって椅子の座などのフレーム若しくはインナーシェルに被せられた張地に与えられる損傷を軽減して張地の破れを防止することを可能にする。【解決手段】張地で覆われる椅子の背凭れの背凭れインナーシェル３ａの縁部のうち椅子の使用状態において外物と衝き当たる部分に形成された凹みである緩衝部材取付部２ａと、弾性材からなり緩衝部材取付部２ａに嵌められる緩衝部材とを有するようにした。【選択図】図１
2010094451.tif 000002
【特許請求の範囲】
【請求項１】
張地で覆われる椅子の座、背凭れ若しくはヘッドレストのインナーシェルの縁部のうち前記椅子の使用状態において外物と衝き当たる部分に形成された凹みである緩衝部材取付部と、弾性材からなり前記緩衝部材取付部に嵌められる緩衝部材とを有することを特徴とする椅子の張地の破れ防止構造。
【請求項２】
前記緩衝部材取付部の凹みの深さと前記緩衝部材の厚さとがどちらも２ｍｍであることを特徴とする請求項１記載の椅子の張地の破れ防止構造。
【発明の詳細な説明】
【技術分野】
【０００１】
本発明は、椅子の張地の破れ防止構造に関する。さらに詳述すると、本発明は、椅子の座、背凭れ若しくはヘッドレストの表面を覆う張地の破れを防止する構造に関する。
【背景技術】
【０００２】
椅子の座や背凭れの表面を覆う張地の張設構造として従来からよく用いられているものとして、図８に示すように、張力を付与すると共に座１０３並びに背凭れ１０４のフレーム１０１のおもて面を覆ってフレーム１０１に被せたネット部材１０２の周縁をフレーム１０１に巻き付けて取り付けるようにするものがある（特許文献１）。
【０００３】
【特許文献１】特開２００６−１１０００１号
【発明の開示】
【発明が解決しようとする課題】
【０００４】
しかしながら、特許文献１の張地の張設構造では、椅子の座や背凭れのフレームとして十分な強度を有する硬質のフレームに張地が被せられるので、硬質であって特に凸部を有する外物が衝き当たると当該外物とフレームとに挟まれることになる張地に大きなダメージが与えられる。したがって、椅子の使用中に座の縁部が例えば机の足・支柱に何度もぶつかったり背凭れの縁部が例えば机の天板の周縁に何度もぶつかったりすることによって張地が損傷してほつれや破れが発生してしまう。しかも、椅子の座などに張地を被せる場合には特許文献１の張設構造のように張地に張力を与えて被せるので僅かな損傷によって強度が少しでも落ちた箇所からほつれや破れが発生し急激に拡がってしまう。
【０００５】
そこで、本発明は、使用状態において外物が衝き当たることによって椅子の座などのフレーム若しくはインナーシェルに被せられた張地に与えられる損傷を軽減して張地の破れを防止することができる椅子の張地の破れ防止構造を提供することを目的とする。
【課題を解決するための手段】
【０００６】
かかる目的を達成するため、請求項１記載の椅子の張地の破れ防止構造は、張地で覆われる椅子の座、背凭れ若しくはヘッドレストのインナーシェルの縁部のうち椅子の使用状態において外物と衝き当たる部分に形成された凹みである緩衝部材取付部と、弾性材からなり緩衝部材取付部に嵌められる緩衝部材とを有するようにしている。
【０００７】
したがって、この椅子の張地の破れ防止構造によると、インナーシェルに張地を直接被せて張設する構造即ちインナーシェルと張地との間にクッション材が介在していない構造であっても、椅子の使用状態において例えば机の天板や脚などの外物と衝き当たる部分に弾性材からなる緩衝部材が嵌められるようにしているので、外物が衝き当たった場合には緩衝部材が変形して（具体的には凹んで）衝撃を吸収して外物とインナーシェルとに挟まれる張地に与えられるダメージが軽減される。
【０００８】
また、請求項２記載の発明は、請求項１記載の椅子の張地の破れ防止構造において、緩衝部材取付部の凹みの深さと緩衝部材の厚さとがどちらも２ｍｍであるようにしている。この場合には、緩衝部材を適当な厚さにするようにしているので、外物が衝き当たった際の衝撃が適切に吸収されると共に外物が衝き当たった際に過度に凹むことがない。
【発明の効果】
【０００９】
請求項１記載の椅子の張地の破れ防止構造によれば、外物が衝き当たった場合には緩衝部材が変形して衝撃を吸収することにより外物とインナーシェルとに挟まれる張地に与えられるダメージを軽減することができるので、張地の破れを防止して椅子の耐久性を向上させて快適な使用を長期に亘って継続することが可能になる。また、請求項１記載の椅子の張地の破れ防止構造によれば、フレームやインナーシェルの縁部は丸みを持たせなければならないなど外物の衝突に伴う張地の損傷を軽減するためのフレームやインナーシェルの形状を採用しなければならないという制約を受けないので、椅子のデザインの多様性を確保することができる。
【００１０】
さらに、請求項２記載の椅子の張地の破れ防止構造によれば、外物が衝き当たった際の衝撃を適切に吸収することができるので、張地に与えられるダメージをより効果的に軽減して破れを防止することができる。さらに、外物が衝き当たった際に過度に凹むことがないので、外物が衝き当たる部分の張地が過度に変形して伸びて弛んでしまうことを防ぐことができると共に張地が過度に緊張して損傷してしまうことを防ぐことができる。したがって、張地の損傷を防止して椅子の耐久性を向上させて快適な使用を長期に亘って継続することが可能になる。
【発明を実施するための最良の形態】
【００１１】
以下、本発明の構成を図面に示す最良の形態に基づいて詳細に説明する。
【００１２】
図１から図５に、本発明の椅子の張地の破れ防止構造の実施形態の一例を示す。なお、本実施形態では、本発明の椅子の張地の破れ防止構造を図５に全体構造を示す椅子１の背凭れ３に適用した場合を例に挙げて説明する。
【００１３】
本実施形態の椅子１は、キャスターを有する脚５と、脚５の脚支柱５ａの上端に取り付けられ支持されたベース（座シェル６の内側に格納）と、ベースの後方に配置され該ベースに対して傾斜可能に下端部が連結された背凭れ３と、ベースの上方に配置され該ベースと連結された座４とを備えている。ここで、本明細書においては、座４に座った着座者を基準にして上下、前後、左右を定義する。
【００１４】
そして、背凭れ３は、縁枠としての背凭れインナーシェル３ａと、該背凭れインナーシェル３ａの表面を覆って背凭れインナーシェル３ａに被せられる張地３ｂとを有する。
【００１５】
背凭れインナーシェル３ａは、椅子の背凭れのインナーシェルとして十分な強度を有する硬質の素材によって、平面視方形枠状に形成される。なお、本発明の椅子の張地の破れ防止構造が適用されるインナーシェルは、フレーム若しくはインナーシェルとこれに被せられる張地とを有する構成において通常用いられるインナーシェルであれば特定の種類のインナーシェル・特定の素材によって形成されたインナーシェルに限定されるものではない。
【００１６】
また、本発明が適用される椅子の構成部品に被せられる張地３ｂは、フレーム若しくはインナーシェルとこれに被せられる張地とを有する構成において通常用いられる張地であれば特定の種類の張地・特定の素材によって形成された張地に限定されるものではない。具体的には例えば各種素材によって形成されたメッシュ地・ネット地若しくは布地、合成皮革、皮革などの張地が被せられる椅子の構成部品に対して本発明を適用することができる。
【００１７】
そして、本実施形態の椅子の張地の破れ防止構造２は、張地３ｂで覆われる椅子１の背凭れ３の背凭れインナーシェル３ａの縁部のうち椅子１の使用状態において外物と衝き当たる部分に形成された凹みである緩衝部材取付部２ａと、弾性材からなり緩衝部材取付部２ａに嵌められる緩衝部材２ｂとを有する。
【００１８】
本発明の張地破れ防止構造は、椅子１の座４、背凭れ３若しくはヘッドレストの縁部のうち例えば机の天板などの外物と衝き当たる部分に設けられる。本実施形態では、張地破れ防止構造２は、背凭れインナーシェル３ａの左右両側の縁部のうち、椅子１の使用状態において机の天板が衝き当たる可能性がある範囲に亘って設けられている。
【００１９】
緩衝部材取付部２ａは、本実施形態では背凭れインナーシェル３ａの左右両側の縁部の前面と外側側面と後面とに亘って設けられる凹みである。
【００２０】
緩衝部材２ｂは、本実施形態では、緩衝部材取付部２ａに巻き付けられるように、すなわち、緩衝部材取付部２ａが設けられた背凭れインナーシェル３ａの左右両側の縁部の前面と外側側面と後面とに巻き付けられるように、接着剤によって貼り付けられて取り付けられる。
【００２１】
緩衝部材２ｂは、少なくとも背凭れインナーシェル３ａよりも柔らかく弾力性を有する素材によって形成される。すなわち、比較的硬質な素材によって形成される背凭れインナーシェル３ａと例えば机の天板などの外物とが衝突する際にこれらの間に挟まって張地３ｂが損傷することを防ぐため、外物が衝き当たった際に自身が変形して（具体的には凹んで）張地３ｂが受ける外物衝突の衝撃を緩和することができる弾力性を有する素材によって形成される。具体的には例えば、フェルトやウレタンや弾性ゴムなどによって形成される。
【００２２】
緩衝部材２ｂの厚さは、外物が衝き当たった際の衝撃を適切に吸収することができる厚さであって、また、外物が衝き当たった際に過度に変形することがない厚さに調整される。すなわち、衝撃の吸収が十分にできない場合には外物とインナーシェルとの間に挟まれる張地が損傷してしまうことになり、また、過度に変形すると張地も大きく変形し緊張して損傷してしまうことになるので、これらを防ぐために緩衝部材２ｂの素材も考慮しながら適当な厚さに適宜調整される。
【００２３】
ここで、緩衝部材取付部２ａの凹みの深さと緩衝部材２ｂの厚さとは、同じ若しくはほぼ同じであることが好ましい。これにより張地破れ防止構造２の周囲の背凭れインナーシェル３ａの外周面と緩衝部材２ｂの外周面とが凹凸のない平坦面若しくはほぼ平坦面を形成するようになり、張地３ｂを被せた場合に余計な凹凸がないので外観を害することがないと共に、凹凸に例えば爪などが引っ掛かったり凹凸部分が擦れたりして張地３ｂが損傷してしまうことを防ぐことができ、さらに、緩衝部材２ｂを緩衝部材取付部２ａに貼り付けるようにする場合には緩衝部材２ｂが剥がれてしまうことを防ぐことができる。
【００２４】
さらに、本実施形態では、背凭れインナーシェル３ａの緩衝部材取付部２ａの上下部分の凹凸が緩衝部材取付部２ａの凹みによって寸断されることによる段差をなくすために傾斜部２ｃが設けられている。
【００２５】
以上のように構成された本発明の椅子の張地の破れ防止構造によれば、外物が衝き当たる部分の張地３ｂとインナーシェル３ａとの間に緩衝部材２ｂを介在させるようにしているので、外物が衝き当たった場合には緩衝部材２ｂが衝撃を吸収して外物とインナーシェル３ａとに挟まれる張地３ｂに与えられるダメージを軽減することができる。
【００２６】
なお、上述の形態は本発明の好適な形態の一例ではあるがこれに限定されるものではなく、本発明の要旨を逸脱しない範囲において種々変形実施可能である。例えば、本実施形態では、図５に全体構造を示す椅子１を例に挙げて説明したが、本発明の椅子の張地の破れ防止構造が適用され得る椅子はこの椅子１に限られるものではない。具体的には例えば、脚にキャスターが付いていない固定椅子であっても構わないし、背凭れを有しない椅子であっても構わない。また、本発明が適用され得る背凭れインナーシェルの形状も本実施形態の椅子１の背凭れインナーシェル３ａのように側面視く字形のものに限られるものではなく、平板状の背凭れに対しても本発明を適用することは可能である。
【００２７】
また、本実施形態では、背凭れ３に本発明の椅子の張地の破れ防止構造を設けるようにしているが、本発明の椅子の張地の破れ防止構造が適用され得るのは背凭れに限られるものではなく、座に適用するようにしても良いし、ヘッドレストに適用するようにしても良い。なお、座に本発明の椅子の張地の破れ防止構造を適用する場合には、椅子の使用状態において例えば机の脚・支柱などの外物が衝き当たる可能性がある範囲、具体的には例えば座の前縁部や前方左右の角部や左右縁部に設けるようにすることが考えられる。また、ヘッドレストに適用する場合には、椅子の使用状態において周囲の設備などの外物が衝き当たる可能性がある範囲、具体的には例えばヘッドレストの左右縁部に設けるようにすることが考えられる。
【００２８】
また、本発明の椅子の張地の破れ防止構造を背凭れに適用する場合に当該構造を設ける位置は図１に示される範囲に限られるものではなく、外物が衝き当たる範囲であればより広い範囲であっても構わないしより狭い範囲であっても構わない。なお、本発明の構造を背凭れに適用する場合に当該構造が設けられ得る範囲は背凭れの左右両縁部の少なくとも座面より上方の範囲であり、座面に適用する場合に当該構造が設けられ得る範囲は座の後面を除く左右両縁部から前縁部の範囲である。
【００２９】
また、本実施形態では、緩衝部材２ｂが緩衝部材取付部２ａに巻き付けられ背凭れインナーシェル３ａに貼り付けられて取り付けられるものとして構成されているが、これに限られるものではなく、背凭れインナーシェル３ａに被せる張地３ｂの裏面に緩衝部材２ｂを貼り付けておく構成とすることも可能である。この場合も、張地３ｂの裏面の、背凭れインナーシェル３ａに張地３ｂを被せたときの緩衝部材取付部２ａの位置に緩衝部材２ｂを貼り付けておいて張地３ｂを被せたときに緩衝部材２ｂが緩衝部材取付部２ａの凹みに嵌るようにすることにより、背凭れインナーシェル３ａの外周面と緩衝部材２ｂの外周面とを平面若しくはほぼ平面とすることが可能であると共に外物の衝突に対して実施形態の構成の場合と同等の効果を奏することができる。
【００３０】
また、本実施形態では、背凭れインナーシェル３ａの緩衝部材取付部２ａの上下部分の凹凸が緩衝部材取付部２ａの凹みによって寸断されることによる段差をなくすために傾斜部２ｃを設けるようにしているが、傾斜部２ｃを設けることは本発明の必須の構成要件ではなく、当該傾斜部２ｃがなくても本発明は所要の効果を奏することができる。
【実施例１】
【００３１】
本発明の椅子の張地の破れ防止構造における緩衝部材の適切な厚さについて検証を行った。
【００３２】
緩衝部材の厚さ毎の検証を行って表１に示す結果が得られた。
【００３３】
【表１】
2010094451.tif 000003
【００３４】
この結果から、緩衝部材の厚さは、１．０〜３．０ｍｍの範囲が好ましく、１．５〜２．５ｍｍの範囲が更に好ましく、２．０ｍｍが最も好ましいことが確認された。なお、緩衝部材２ｂの厚さを２．５ｍｍよりも厚くする場合には、外物の衝突による張地の変形が大きくなってしまうと共に、緩衝部材の厚みの分だけ背凭れインナーシェル３ａ自体を削ることになるために当該インナーシェルの強度が低下してしまう虞があり、この点からも緩衝部材の厚さは上述の範囲が好ましい。
【実施例２】
【００３５】
次に、本発明の椅子の張地の破れ防止構造の性能評価試験の実施例を図６及び図７を用いて説明する。
【００３６】
本実施例では、椅子の背凭れに本発明の椅子の張地の破れ防止構造を適用して試験を行った。
【００３７】
本実施例では、性能評価試験として、図５に示すものと同等の構造を有する椅子を用い、椅子の脚を固定した上で脚支柱を軸中心として座及び背凭れを反転運動させて机の天板の周縁に背凭れの左右の縁部を繰り返し衝突させ、衝突回数の増加に伴う背凭れの張地の損傷の程度を観察した。
【００３８】
緩衝部材として厚さ２ｍｍのフェルトを用いた。なお、椅子の背凭れの左右両側の縁部のうち鉛直寸法で床面から５１８〜７４０ｍｍの範囲に実長２４１ｍｍの緩衝部材（即ちフェルト）を取り付けるようにした。なお、背凭れの張地としてはポリエステル１００％・ダブルジャージ編みのものを用いた。
【００３９】
また、本発明の椅子の張地の破れ防止構造を有する場合と比較するため、本発明の構造を備えない場合の椅子の背凭れについても同様の試験を行った。
【００４０】
そして、耐久性能の評価を行うため、机の天板への衝突を繰り返しながら衝突箇所の張地の損傷の程度の観察を行い、本発明の構造を備えない場合の張地について図６に示す結果が得られ、本発明の構造を備える場合の張地について図７に示す結果が得られた。
【００４１】
本発明の構造を備えない場合の張地は、図６に示すように、衝突回数２００回で張地に縒れが見えはじめ（図中○で示す位置）、８００回で張地が破れはじめ、その後衝突回数の増加に伴って破れが徐々に大きくなり、２０００回では既に完全な穴として認識できる程度にまで進展し、その後も衝突回数の増加に伴って穴が徐々に大きくなった。
【００４２】
これに対し、本発明の椅子の張地の破れ防止構造を備える場合の張地は、図７に示すように、衝突回数２０００回までは損傷は殆ど見られず、３５００回で破れの兆候が見えはじめた（図中○で示す位置）。しかしながら、衝突回数７０００回までは損傷の程度が進展することはなく、１００００回において小さな破れがようやく認識できる程度であった。
【００４３】
これらの結果から、本発明の椅子の張地の破れ防止構造が、外物との衝突による張地の損傷を軽減して破れを防止することに非常に有効であることが確認された。
【図面の簡単な説明】
【００４４】
【図１】本発明の椅子の張地の破れ防止構造の実施形態の一例を示す図で、当該構造のうち緩衝部材を取り付けていないインナーシェルの平面図である。
【図２】本発明の椅子の張地の破れ防止構造の実施形態の一例を示す図で、当該構造のうち緩衝部材を取り付けていないインナーシェルの側面図である。
【図３】本発明の椅子の張地の破れ防止構造の実施形態の一例を示す図で、当該構造を備えたインナーシェルの平面図である。
【図４】本発明の椅子の張地の破れ防止構造の実施形態の一例を示す図で、当該構造を備えたインナーシェルの側面図である。
【図５】本発明の椅子の張地の破れ防止構造の実施形態の一例を説明するための椅子の全体構成を示す側面図である。
【図６】実施例１の本発明の構造を備えない場合の張地の損傷の進展の結果を示す図である。
【図７】実施例１の本発明の構造を備える場合の張地の損傷の進展の結果を示す図である。
【図８】従来の張地の張設構造を示す斜視図である。
【符号の説明】
【００４５】
１  椅子
２  椅子の張地の破れ防止構造
２ａ  緩衝部材取付部
２ｂ  緩衝部材
３  背凭れ
３ａ  背凭れインナーシェル
３ｂ  張地
４  座
【図１】
2010094451.tif 000004
【図２】
2010094451.tif 000005
【図３】
2010094451.tif 000006
【図４】
2010094451.tif 000007
【図５】
2010094451.tif 000008
【図６】
2010094451.tif 000009
【図７】
2010094451.tif 000010
【図８】
2010094451.tif 000011